【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
イベントの発生を検出する感知装置と、画像を撮像する複数の撮像装置とに接続された情報処理装置であって、
前記撮像装置の識別子を感知装置に関連づけて保持するとともに、前記撮像装置毎に、当該撮像装置の動作内容を定めた設定値を含む第１及び第２の種類の動作制御情報を該撮像装置に関連づけて保持する保持手段と、
第１の感知装置から前記イベントの発生を検出したことを示すイベント検出信号を受信する検出信号受信手段と、
前記第１の感知装置から前記イベント検出信号を受信した場合に、前記保持手段に当該第１の感知装置に関連づけて保持された前記識別子を有する前記撮像装置を特定して、前記第１の種類の動作制御情報を送出する撮像装置を決定する決定手段と、
前記決定手段により決定された前記撮像装置に対して、当該撮像装置に関連づけて保持された前記第１の種類の動作制御情報を送出し、前記決定手段で決定されていない撮像装置に対して、当該決定されていない撮像装置に関連づけて保持された前記第２の種類の動作制御情報を送出する送出手段とを備えることを特徴とする情報処理装置。
【請求項２】
前記送出手段は、前記特定された前記撮像装置が１つの場合、前記決定手段の決定に関わらず、当該撮像装置に対して前記第２の種類の動作制御情報を送出することを特徴とする請求項１に記載の情報処理装置。
【請求項３】
前記第１の種類の動作制御情報は前記撮像装置のレンズのズーム値をテレ側に制御するための設定値であり、前記第２の種類の動作制御情報は前記撮像装置のレンズのズーム値をワイド側に制御するための設定値であることを特徴とする請求項１又は２に記載の情報処理装置。
【請求項４】
前記保持手段は、前記第１の種類の動作制御情報を前記撮像装置に適用するための優先順位を、第１の優先順位として感知装置に関連づけて更に保持し、
前記決定手段は前記第１の優先順位に基づいて前記第１の種類の動作制御情報を送出する前記撮像装置を決定することを特徴とする請求項１乃至３のいずれか１項に記載の情報処理装置。
【請求項５】
前記保持手段は、前記撮像装置に対する複数の感知装置の優先順位を第２の優先順位として当該撮像装置に関連づけて更に保持し、
前記送出手段は、前記保持手段に前記第１の感知装置及び第２の感知装置に関連づけられて保持された前記識別子を有する前記撮像装置のうち、前記第１の感知装置のイベント検出に応じて撮像を行なっている前記撮像装置を判定し、更に前記第２の感知装置からイベント検出した場合であって、該撮像装置に対する前記第１の感知装置の第２の優先順位が前記第２の感知装置の第２の優先順位よりも低い場合は、前記決定手段の決定に関わらず、前記第２感知装置のイベント検出に応じた前記第１の種類の制御情報又は前記第２の種類の制御情報を前記判定した撮像装置に対して送出することを特徴とする請求項１乃至４のいずれか１項に記載の情報処理装置。
【請求項６】
前記保持手段は、前記撮像装置について第３の種類の動作制御情報を更に保持し、
前記送出手段は、前記第１の種類の動作制御情報又は前記第２の種類の動作制御情報を送出した前記撮像装置に対して、前記第１の種類の動作制御情報又は前記第２の種類の動作制御情報を送出後、所定の時間が経過した場合は当該撮像装置に対して前記第３の種類の動作制御情報を送出することを特徴とする請求項１乃至５のいずれか１項に記載の情報処理装置。
【請求項７】
前記第３の種類の動作制御情報は平常時におけるパン値、チルト値、ズーム値への復帰であることを特徴とする請求項６に記載の情報処理装置。
【請求項８】
前記動作制御情報はパン値、チルト値、ズーム値の少なくともいずれかを含むことを特徴とする請求項１乃至６のいずれか１項に記載の情報処理装置。
【請求項９】
イベントの発生を検出する感知装置と、画像を撮像する複数の撮像装置とに接続された情報処理装置の制御方法であって、
前記情報処理装置は、前記撮像装置の識別子を感知装置に関連づけて保持するとともに、前記撮像装置毎に、当該撮像装置の動作内容を定めた設定値を含む第１及び第２の種類の動作制御情報を該撮像装置に関連づけて保持する保持手段を備え、
第１の感知装置から前記イベントの発生を検出したことを示すイベント検出信号を受信する検出信号受信工程と、
前記第１の感知装置から前記イベント検出信号を受信した場合に、前記保持手段に当該第１の感知装置に関連づけて保持された前記識別子を有する前記撮像装置を特定して、前記第１の種類の動作制御情報を送出する撮像装置を決定する決定工程と、
前記決定工程において決定された前記撮像装置に対して、当該撮像装置に関連づけて保持された前記第１の種類の動作制御情報を送出し、前記決定手段で決定されていない撮像装置に対して、当該決定されていない撮像装置に関連づけて保持された前記第２の種類の動作制御情報を送出する送出工程とを
備えることを特徴とする情報処理装置の制御方法。
【請求項１０】
請求項１乃至８のいずれか１項に記載の情報処理装置と、２以上の感知装置と、１以上の撮像装置とを有することを特徴とするシステム。
【請求項１１】
イベントの発生を検出する感知装置と、画像を撮像する複数の撮像装置とに接続された情報処理装置の制御プログラムであって、
前記情報処理装置を、
前記撮像装置の識別子を感知装置に関連づけて保持するとともに、前記撮像装置毎に、当該撮像装置の動作内容を定めた設定値を含む第１及び第２の種類の動作制御情報を該撮像装置に関連づけて保持する保持手段と、
第１の感知装置から前記イベントの発生を検出したことを示すイベント検出信号を受信する検出信号受信手段と、
前記第１の感知装置から前記イベント検出信号を受信した場合に、前記保持手段に当該第１の感知装置に関連づけて保持された前記識別子を有する前記撮像装置を特定して、前記第１の種類の動作制御情報を送出する撮像装置を決定する決定手段と、前記決定手段により決定された前記撮像装置に対して、当該撮像装置に関連づけて保持された前記第１の種類の動作制御情報を送出し、前記決定手段で決定されていない撮像装置に対して、当該決定されていない撮像装置に関連づけて保持された前記第２の種類の動作制御情報を送出する送出手段として機能させるための制御プログラム。
【請求項１２】
請求項１１に記載のコンピュータプログラムを格納したことを特徴とするコンピュータ読み取り可能な記憶媒体。
【手続補正２】
【補正対象書類名】明細書
【補正対象項目名】発明の名称
【補正方法】変更
【補正の内容】
【発明の名称】情報処理装置及びその制御方法、システム、制御プログラム、記憶媒体
【手続補正３】
【補正対象書類名】明細書
【補正対象項目名】０００６
【補正方法】変更
【補正の内容】
【０００６】
上記目的を達成するため、例えば本発明による情報処理装置は以下の構成を備える。即ち、
イベントの発生を検出する感知装置と、画像を撮像する複数の撮像装置とに接続された情報処理装置であって、
前記撮像装置の識別子を感知装置に関連づけて保持するとともに、前記撮像装置毎に、当該撮像装置の動作内容を定めた設定値を含む第１及び第２の種類の動作制御情報を該撮像装置に関連づけて保持する保持手段と、
第１の感知装置から前記イベントの発生を検出したことを示すイベント検出信号を受信する検出信号受信手段と、
前記第１の感知装置から前記イベント検出信号を受信した場合に、前記保持手段に当該第１の感知装置に関連づけて保持された前記識別子を有する前記撮像装置を特定して、前記第１の種類の動作制御情報を送出する撮像装置を決定する決定手段と、
前記決定手段により決定された前記撮像装置に対して、当該撮像装置に関連づけて保持された前記第１の種類の動作制御情報を送出し、前記決定手段で決定されていない撮像装置に対して、当該決定されていない撮像装置に関連づけて保持された前記第２の種類の動作制御情報を送出する送出手段とを備える。